(57)【要約】この発明はＲＦＩＤシリーズを使用する道路上の位置管理方法に関する。特に、この発明は、多くのＲＦＩＤタグがＲＦＩＤタグを１つずつ設置する必要なく、同時に設置し、従ってＲＦＩＤシステムを構築するため、多くのＲＦＩＤタグが必要な場合でさえ、作業を混乱なく僅かの時間と労力で完了させることができるＲＦＩＤシリーズを提供し、そして通路（例えば車）上の任意の物がＲＦＩＤシリーズを使用して停止又は移動する位置を特定把握するための道路上の位置管理方法を提供する。【選択図】図２
2009523287.tif 000002
【特許請求の範囲】
【請求項１】
ＲＦＩＤタグが一定間隔（ｄ）で連続的に配置され、そして前記ＲＦＩＤタグ間の接続間隔（ｄ）を表示する区分または色が前記カバー上にコード化される、多くのＲＦＩＤタグをカバーで包装した後、紐状にカプセル化されたＲＦＩＤシリーズにおける、前記道路上の位置管理方法であって、前記道路上の任意の２点（ａ，ｂ）を接続する位置が：
（ａ）前記任意の２点（a、ｂ）間に連続する溝を刳りぬき、そしてＲＦＩＤを埋め込み；
（ｂ）ＲＦＩＤリーダの使用により、前記埋め込まれたＲＦＩＤシリーズの先頭（a）と後端（ｂ）のＩＤを読み取り、そして記録し；
（ｃ）前記データベースのＲＦＩＤタグの配置順序を観察し、そして入力し；
（ｄ）ＲＦＩＤリーダの使用により、任意点（目標ＲＦＩＤタグ）におけるＲＦＩＤタグを読み取り；
（ｅ）前記目標ＲＦＩＤが前記先頭（ａ）上に設置されたＲＦＩＤタグからｎ番目に設置されたＲＦＩＤタグであることを観察し、そして前記目標ＲＦＩＤタグがｎｘｄ＝（Ｌ）の結果の値により、ａからＬの位置に設置されることを確認する、
ことにより管理される、方法。
【請求項２】
請求項１に記載の方法であって、更に、前記データベースのＲＦＩＤタグのＩＤを観察し、そして入力し、前記ＲＦＩＤタグのＩＤとそれらに対応するゾーンＩＤを割り当て、そしてステップ（ｃ）の後、それらをマッチングさせる、方法。
【請求項３】
前記ゾーンＩＤは、ＲＦＩＤシリーズのＲＦＩＤタグが行政区画、又は前記道路上に設置された、ＲＦＩＤシリーズの前記先頭ＲＦＩＤタグからの前記関係するＲＦＩＤタグの前記距離に応じて、前記道路上に設置された、前記区域名に関する情報からなることを特徴とする、請求項２に記載の方法。
【発明の詳細な説明】
【技術分野】
【０００１】
この発明はＲＦＩＤシリーズ及びＲＦＩＤシリーズを使用する位置管理システムの構築方法に関し、ＲＦＩＤを使用する無線通信分野に属する。
【背景技術】
【０００２】
無線通信識別（以下“ＲＦＩＤ”と称する）システムは、ＲＦＩＤ、アンテナ、リーダ、及びライタから構成される無線通信システムの一種であり、ＲＦＩＤは物品に取り付けることにより動かされたり、動いたりして、そして地上又は建物に取り付けられたアンテナで無線通信を行う。リーダはアンテナとＲＦＩＤ間の通信を制御し、又はコンピュータのような上位装置とＲＦＩＤ間でプロトコル交換を行う。最近は、組み込み型アンテナを備えるリーダが多い。
【０００３】
ＲＦＩＤはＲＦＩＤシステム構成要素の１つである。ＲＦＩＤは以下の３つの条件を同時に満足させる必要がある：
（i）寸法は持ち運びに便利であること；（ii）電子回路に情報を記憶させること；及び（iii）通信は非接触通信により行われること。従って、フロッピディスク、磁気カード、接触式ＩＣカード等はデータの記憶や運搬に便利であるが、それらはＲＦＩＤには含まれない。ＲＦＩＤは広く非接触式ＩＣカード（ＲＦカード）を含めるが、それは一般にＲＦタグと呼ばれる。
【０００４】
ＲＦＩＤは、ＲＦＩＤタグが取り付けられる物品及びその物品上の情報識別に使用される。換言すると、製品が存在する時や場所では、必要とする情報を取り出すことができ、必要な場合は、新しい情報を書きとめることができる。ＲＦＩＤを使用する時、我々は必要な情報を情報センタへ要求し、そしてその応答を受信するのに要する時間を節約することができる。更に、このＲＦＩＤシステムは、情報の配分工程の容易さや情報システムの簡素化のような利点を有する。特に、自動処理ラインで使用される自動識別手段は、ＲＦＩＤが適している振動、衝撃、水や油、高温やダスト等のような過酷な環境には耐えねばならない。更に、１つの製造ライン上でバッチ生産が行われ、そして目標対象物上の情報の頻繁な変更が必要な場合に、ＲＦＩＤはより適している。ＲＦＩＤは、製造工程や物流センタのような比較的初期の物流段階でのバーコードの代わりに使用されたが、それはこのような流通段階のような最終流通段階へ向かって次第に伸展する傾向である。
【０００５】
ＲＦＩＤタグは物品に取り付けできるＲＦＩＤのことをいい、ＦＡ（工場オートメーション）分野では有益である。ＲＦＩＤタグは主としてチップとアンテナで構成され、そしてＲＦＩＤタグを保護するため、カプセル化処理による完成形状を有する。ＲＦＩＤタグは、ユーザがその目的に適した形状を選択できるカプセル化方法により、クレジットカード、棒、コイン、ラベル等のような様々な形状を有する。ＲＦＩＤタグは部品の形で、個別に分離され、製作される。以降、部品の形で予め製作されたＲＦＩＤタグは“個別ＲＦＩＤタグ”と称する。
【０００６】
しかし、複数のＲＦＩＤタグがＲＦＩＤシステム（例えば位置管理システム）を形成するために必要な場合、以前の個別ＲＦＩＤタグには、以下の問題が見られる。
【０００７】
第１に、個別ＲＦＩＤタグの各々は同じ外観を有し、このため互いに区別ができない。
【０００８】
第２に、ＲＦＩＤシステムを構成するＲＦＩＤタグが一定間隔で設置される場合でさえ、それらは１つずつ個別に設置されなければならないため、非常に面倒である。
【０００９】
第３に、個別ＲＦＩＤタグの設置工程での各個別ＲＦＩＤタグのＩＤ確認のため、ユーザはタグを１つずつ読み取らなければならない。更に、ＲＦＩＤのカプセル化工程中又はそれ以後に、各個別ＲＦＩＤタグの表面にＩＤを書きとめる場合でも、これらの個別ＲＦＩＤタグは１つずつ互いに分離しているので、設置工程でこれらのタグの順序を保つことは困難である。更に、一旦その順序が散乱してしまうと、管理はより困難になる。
【００１０】
第４に、設置される複数の個別ＲＦＩＤタグが増加すると、これらの問題の深刻さはより増加する。
【００１１】
従って、個別ＲＦＩＤタグの設置にかなりの時間と努力が必要となり、同時に不必要な混乱が発生する。
【発明の開示】
【発明が解決しようとする課題】
【００１２】
この発明は上記問題を解決するために提案され、そして多くのＲＦＩＤタグがＲＦＩＤタグを１つずつ設置する必要なく、同時に設置し、そして各ＲＦＩＤタグは自動的に計算され、従って、ＲＦＩＤシステムを構築するため、多くのＲＦＩＤタグが必要な場合でさえ、作業を混乱なく僅かの時間と労力で完了できるＲＦＩＤシリーズを提供し、そして道路上の任意の物（例えば車）がＲＦＩＤシリーズを使用して、停止または移動する位置を特定把握するための通路上の位置管理方法を提供する。
【課題を解決するための手段】
【００１３】
上記目的を達成するため、この発明は、道路上の任意の２点（ａ，ｂ）を接続する位置を管理し、ＲＦＩＤシリーズは多くのＲＦＩＤタグをカバーで包装した後、紐状にカプセル化され、ＲＦＩＤタグは一定間隔（ｄ）で連続的に配置され、そしてＲＦＩDタグ間の接続間隔（ｄ）を表示する区分または色がカバー上にコード化される以下からなる道路上の位置管理方法を提供する：
任意の２点（ａ、ｂ）間に連続した溝を刳りぬき、そしてＲＦＩＤシリーズを埋めるＳ１１０；ＲＦＩＤリーダの使用により、埋められたＲＦＩＤシリーズの先頭（ａ）と後端（ｂ）のＩＤを読み取り、そして記録するＳ１２０；データベース中のＲＦＩＤタグの配置順序を観察し、そして入力するＳ１３０；ＲＦＩＤリーダの使用により、任意点（目標ＲＦＩＤタグ）でＲＦＩＤタグを読むＳ１４０；及び目標ＦＩＤタグが先頭（ａ）上に設置されたＲＦＩＤタグからｎ番目に設置されたＲＦＩＤタグであることを観察し、そして目標ＲＦＩＤタグがｎｘｄ（＝Ｌ）の結果の値によりａからＬの距離に設置されることを確認するＳ１５０。
【発明の効果】
【００１４】
この発明によると、ＲＦＩＤタグを長い道路上に１つずつ設置する必要なく、多くのＲＦＩＤタグを同時に設置することにより、僅かな時間と労力で道路上の位置管理のためのＲＦＩＤシステムを構築でき、道路上の任意の物（例えば車）が停止又は移動する位置を、ＲＦＩＤシステムを介して素早くそして明瞭に把握し、そして管理することができる。
【発明を実施するための最良の形態】
【００１５】
図１はこの発明の一典型的実施例によるＲＦＩＤシリーズのＲＦＩＤタグを示す。
【００１６】
ＲＦＩＤタグ１００には、それらを保護するケースにより囲まれたチップとアンテナがある。これらのＲＦＩＤタグ１００の構築は、従来のＲＦＩＤタグのそれと同じであり、従って、その詳細記述は省略する。しかしこの発明によるＲＦＤＩタグ１００は、以下で説明するカバー２００により包装され、そして紐状にカプセル化されなければならない。このため、ケースはカバー２００へ取り付けられる接着ラベルから作られることが望ましい。
【００１７】
図２はＲＦＩＤシリーズのカバー、及びカバーで包まれた複数のＲＦＩＤタグを備えるカプセル化されたＲＦＩＤシリーズを示す。
【００１８】
カバー２００は複数のＲＦＩＤタグ１００を包装し、そしてそれらを紐状にカプセル化する。換言すると、複数のＲＦＩＤタグ１００が配置され、次にそれらは長い電線（以後“ＲＦＩＤシリーズ”と称する）のようなＲＦＩＤタグ接続体を形成するため、それらを一時にカバー２００で包む。ＲＦＩＤタグ１００のケースがカバー２００へ十分取り付けることができる接着ラベルからできている場合、複数のＲＦＩＤタグ１００のカプセル化工程がより容易に実施される。即ち、この場合、この発明によるＲＦＩＤシリーズは、カバー２００が複数のＲＩＦＤタグ１００を包装する必要なく、ＲＦＩＤタグ１００をカバー２００へ取り付けることにより簡単に製作することができる。このようなカバー２００は曲げることができる柔軟な材料からできており、長さ方向に垂れ下がったＲＦＩＤの形状である。
【００１９】
この発明によるＲＦＩＤは、周波数帯等のような技術的違い、ＲＦＩＤタグ１００間の間隔、カバー２００の品質等に基づき分類されるＲＦＩＤタグ１００の型により変化する。
【００２０】
ＲＦＩＤシリーズでは、一定間隔でＲＦＩＤタグ１００を連続的に配置することが望ましい。ＲＦＩＤシステムを構成するＲＦＩＤタグが一定間隔で設置される場合でさえ、作業者は個別ＲＦＩＤタグの各々を１つずつ設置しなければならないので、従来のＲＦＩＤシステムでは、かなりの時間と労力を必要とする問題があった。このような問題を解決するため、ＲＦＩＤシリーズ上のＲＦＩＤタグ１００が一定間隔（ｄ）で連続的に配置される場合、ある空間への１つのＲＦＤＩシリーズだけの設置は一定間隔（ｄ）で複数のＲＦＩＤ１００を同時に設置する効果を提示することができる。そのようなことで、一定間隔（ｄ）でＲＦＩＤタグ１００を連続的に配置する必要性は、以下に詳細に説明する上記理由のみに限定されない。
【００２１】
ＲＦＩＤシリーズ上のＲＦＩＤタグ１００間の接続間隔（ｄ）は１つの数値に限定されない。即ち、ＲＦＩＤシリーズは、目的または用途等により、ＲＦＩＤタグ１００間の接続間隔（ｄ）を変化させることにより製造することができる。このような場合、ＲＦＩＤシステムを設置しようとする人は、所望するＲＦＩＤ設置間隔（ｄ）に対応するＲＦＩＤタグ１００間の接続間隔（ｄ）を有するＲＦＩＤを選択的に購入し、設置することができる。ＲＦＩＤタグ１００間の接続間隔（ｄ）が１０００mmの場合のＲＦＩＤシリーズを図２を参照して説明する。
【００２２】
この場合、この発明によるＲＦＩＤのカバー２００上に、ＲＦＩＤタグ１００間の接続間隔（ｄ）を表示する区分又は色をコード化することが望ましい。もし区分又は色をカバー２００表面上にコード化すれば、作業者は、作業者により設置されようとするＲＦＩＤシリーズで、ＲＦＩＤタグ１００が配置される間隔を確認することができる。従って、様々なＲＦＩＤタグ１００間の接続間隔（ｄ）を有するＲＦＩＤシリーズを互いに明確に区別することができる。ＲＦＩＤシリーズを購入又は設置する際に、混乱を生ずる可能性はない。更に、我々はある空間においてＲＦＩＤシリーズを設置する工程、又は設置後のＲＦＩＤの設置位置や数量を明確に把握することができる。参考として、図２は連続して配置されたＲＦＩＤタグ１００の各々が１０に分割される状態を示す；色は１００mm間隔で交差する；そして関係するＲＦＩＤシリーズ上のＲＦＩＤタグ１００間の接続間隔（ｄ）が１０００mmであるとの情報を示すため、１００mm単位の区分を各タグ上にマーキングする。
【００２３】
更に、この発明によるＲＦＩＤシリーズにおいては、ＲＦＩＤタグ１００をＩＤ順に連続的に配置することが望ましい。これは従来のＲＦＩＤシリーズは以下の欠点を有するからである：個別ＲＦＩＤタグの設置工程において、各ＲＦＩＤタグは、各個別ＲＦＩＤタグのＩＤを確認するため、ＲＦＩＤリーダの使用により１つずつ読み取られなければならない。たとえＩＤがＲＦＩＤのカプセル化工程中又はその後に各個別ＲＦＩＤタグ表面上に書きとめられても、これらの個別ＲＦＩＤタグが１つずつ分離されるので設置工程でそれらの順序（各個別ＲＦＩＤタグのＩＤのＲＦＩＤシリーズ順序）を維持することは困難であり、そして分離後、これらのタグを管理することはより困難である。これらの問題を解決するため、以下の利点を備える。ＲＦＩＤシリーズ上のＲＦＩＤタグがＩＤ順に連続して配置される場合で、一旦作業者がある空間にＲＦＩＤシリーズの１つを設置し、次に先頭ＲＦＩＤタグ１００のＩＤを読み取り、そして設置されたＲＦＩＤシリーズの後端ＲＦＩＤタグ１００を読み取ると、ＲＦＩＤタグのＩＤは、先頭から後端へ昇順、もしくは後端から先頭へ降順になっている。こうして、全てのＲＦＩＤタグ１００のＩＤが各個別ＲＦＩＤタグのＩＤを確認することなく、一時に自動的に把握することができる。
【００２４】
もしＩＤ順にＲＦＩＤタグ１００を連続的に配置することにより、この発明によるＲＦＩＤシリーズを製作することができない場合、以下の方法が利用できる。
【００２５】
（１Ｓ）ＲＦＩＤシリーズをＩＤ順序に関係なく、ランダムにＲＦＩＤタグ１００を配置することにより準備する。
【００２６】
（２Ｓ）（１Ｓ）工程で形成されたＲＦＩＤシリーズ上に配置される、ＲＦＩＤタグ１００のＩＤを読み取り、そして記録することによりデータベースを準備する（以降“ＲＦＩＤタグＩＤ配置情報と呼ぶ”）。例えば、ＲＦＩＤタグＩＤ配置情報を以下の形式で構築する。１：ＩＤ２５３、２：ＩＤ２０、３：ＩＤ７、４：ＩＤ１５４、５：ＩＤ３４、６：ＩＤ８１７、７：ＩＤ６７３２、８：ＩＤ４７０、９：ＩＤ７８、・・・。
【００２７】
（３Ｓ）ＲＦＩＤシリーズの販売者は、様々な記録媒体を介して、上記（２Ｓ）工程で形成されたＲＦＩＤタグＩＤ配置情報をＲＦＩＤシリーズの消費者に提供する。例えば、ＲＦＩＤシリーズの販売者は、ＲＦＩＤシリーズの販売と同時に、関係するＲＦＩＤシリーズのＲＦＩＤタグＩＤ配置情報を含むディスケットを消費者へ提供することができる。この場合、ＲＦＩＤシリーズの消費者は、ＲＦＩＤシリーズ上で接続された、いくつかのＲＦＩＤタグ１００の１つのＩＤを読み取った後、ＲＦＩＤタグＩＤ配置情報を観察することにより、ＲＦＩＤタグ１００の周りのＲＦＩＤタグ１００のＩＤを容易に見付けることができる。一方、インターネットを介してＲＦＩＤタグＩＤ配置情報を観察することが望ましい。即ち、もしＲＦＩＤシリーズの消費者がＲＦＩＤシリーズの販売者（又は製作者）のウェブサイトへ進入し、購入されたＲＦＩＤシリーズの先頭ＲＦＩＤタグと後端ＲＦＩＤタグのＩＤを入力するならば、ＲＦＩＤシリーズの販売者（又は製作者）のサーバは、入力された２つのＲＦＩＤタグ間に存在するＲＦＩＤタグ上のＲＦＩＤタグＩＤ配置情報を消費者へ提供する。上記方法は、ＲＦＩＤシリーズをＲＦＩＤタグ１００のＩＤ順に連続的に配置する場合に得られる効果と同一効果を呈する。
【００２８】
一方、カバー２００上のＩＤとＲＦＩＤタグ１００の配置順序を書きとめることがより望ましい。もしＲＦＩＤタグ１００のＩＤと配置順序をカバー２００表面へ書きとめるならば、彼が設置しているＲＦＩＤシリーズに含まれるＲＦＩＤタグ１００情報を迅速に確認することにより、作業者は設置を行うことができるので、効率はより増加するだろう。
【００２９】
ＲＦＩＤシリーズのこのような有効性を、以下に説明するように、より明確に理解することができる。
【００３０】
第１に、目標空間に複数のＲＦＩＤタグを設置するため、空間を分割する工程が必要であるが、長さはマーキングされ、色がＲＦＩＤシリーズ上にコード化されるので分割工程を省略できる。即ち、一旦作業者はＲＦＩＤタグを設置するための間隔を簡単に決定し、間隔に対応する間隔特性（即ち、ＲＦＩＤタグ１００間の接続間隔）を有するＲＦＩＤシリーズを選択し、そして設置すると、ＲＦＩＤシリーズ上の長さ表示は空間分割機能を当然有するだろう。
【００３１】
第２に、分割されたゾーンの各々にＲＦＩＤを取り付けた後、ＲＦＩＤタグを読み取ることにより、関係ゾーン上の情報を得るため、ゾーンＩＤと予めゾーンに設置されたＲＦＩＤタグのＩＤをマッチングさせる工程が必要である。個別ＲＦＩＤタグを使用する場合、各ゾーンにＲＦＩＤタグを設置した後、ＲＦＩＤリーダを使用して、設置された全ＲＦＩＤタグのＩＤを実際に読み取ることにより、ゾーンＩＤとＲＦＩＤのＩＤを１つずつマッチングさせる工程が必要であった。裸眼で一般的な個別ＲＦＩＤタグを区分することはできないので、この工程は基本的に必要であった。この工程の代わりに、我々はＲＦＩＤタグの設置に先立ち、全てのＲＦＩＤタグを読み取り、各ＲＦＩＤタグが取り付けられるゾーンを決定し、そしてＲＦＩＤタグ表面にＩＤゾーンをペンで書きとめるか又は印刷することを考慮する。しかし、この作業も非常に面倒であり、混乱を発生しやすい。
【００３２】
ＲＦＩＤタグを使用する場合、ＲＦＩＤシリーズ上のＲＦＩＤタグ１００のＩＤを既に知っているので、我々はＲＦＩＤリーダを使用してＩＤの読み取り工程を省略してもよい。更に、ＲＦＩＤシリーズの設置後、ＲＦＩＤタグ１００ＩＤに対応するため、我々は簡単にＩＤを割り当てられる。
【００３３】
道路をゾーンに分割し、長い道路の位置を管理するため、各ゾーンを表示するＲＦＩＤタグをゾーンへ取り付ける場合、個別ＲＦＩＤを使用するならば、以下のステップが必要である：
道路のゾーン長を決定する。
上記（１）で決定された長さを定規で測定することにより道路上にゾーンをマーキングし、そして各ゾーンにＩＤ（ゾーンＩＤ）を割り当てる。
複数の分割されたゾーンと同じ複数のＲＦＩＤタグを準備する。
準備したＲＦＩＤタグを各ゾーンへ１つずつ取り付ける。
ＲＦＩＤリーダの使用により、各ゾーンへ取り付けられたＲＦＩＤタグのＩＤを読み取り、そしてそれらをデータベースへ入力する。
上記（５）で読み取られたＲＦＩＤタグが取り付けられるゾーンのＩＤを確認し、そしてそれをデータベース上のＲＦＩＤタグＩＤとマッチングさせる。
全ての取り付けられたタグを読み取る迄、上記（５）と（６）を繰り返す。
【００３４】
上記ステップは非常に面倒であり、ＲＦＩＤタグの数量を増加させる場合、混乱を発生させるようである。特に、ステップ（２）、（４）、（５）、と（６）は非常に労働集約的である。
【００３５】
しかし、上記ステップを、本発明によるＲＦＩＤシリーズの使用により、容易にかつ効果的に実施することができる。図３は以下で説明するこの発明によるＲＦＩＤの使用により、複数のＲＦＩＤタグを目標空間へ設置する状態を示す。
【００３６】
（１ａ）道路のゾーン長さを決定する。
（２ａ）上記（１）で決定された長さに対応する間隔特性を有するＲＦＩＤシリーズを選択し、それを道路上に設置する。
（３ａ）上記（２ａ）で設置されたＲＦＩＤの先頭と後端におけるＲＦＩＤタグのＩＤを読み取り、そして記録する。この時、ＲＦＩＤシリーズは、最初にその基本的特性としてそれらを提供するので、先頭ＲＦＩＤタグと後端ＲＦＩＤタグ間のＩＤとＲＦＩＤタグの配置順序を別々に読み取ることは必要ではない。更に、道路のゾーンはＲＦＩＤシリーズ面の長さマーキング区分により自動的にマーキングされる。換言すると、従来技術におけるように、それらを測定することにより、ゾーンを１つずつ分割する工程は必要ではない。
（４ａ）データベースのＲＦＩＤシリーズと共に備えられるＲＦＩＤタグのＩＤを入力し、ＲＦＩＤのＩＤに対応するゾーンＩＤをゾーンＩＤ順に割り当て、そしてそれらをマッチングさせる。
【００３７】
ＲＦＩＤシリーズ面のＲＦＩＤタグ順序が固定され、間隔は一定であるので、上記方法はＲＦＩＤシリーズ上の従来の個別ＲＦＩＤタグを使用する方法より簡単であり、かつ効果的である。即ち、道路上のゾーンをマーキングする工程は省略される。更に、ＲＦＩＤタグの全てを１つずつ読み取る必要はない。最後に、ゾーンＩＤをＲＦＩＤタグＩＤとマッチングさせる工程を簡単に解決することができる。
【００３８】
この発明のＲＦＩＤシリーズによると、従来技術の技術的問題を以下のように解決することができる。
【００３９】
第１に、各個別ＲＦＩＤタグが互いに区別されなかった問題を解決することができる。即ち、ＲＦＩＤシリーズは１つの線で相互接続されるＲＦＩＤタグ１００を提供し、これによりそれらは自動的に区別される。
【００４０】
第２に、各個別ＲＦＩＤを１つずつ設置しなければならない問題を解決することができる。即ち、ＲＦＩＤシリーズは一体的に接続される複数のＲＦＩＤタグ１００を提供し、これにより１つのＲＦＩＤシリーズの設置は複数のＲＦＩＤタグ１００を同時に設置する効果を示すことができる。
【００４１】
第３に、個別ＲＦＩＤタグを確認のためＲＦＩＤリーダを使用して、読み取らなければならない問題、及び個別ＲＦＩＤタグが分離されていた問題を解決することができる。即ち、ＲＦＩＤシリーズで、ＲＦＩＤタグ１００が一列にＩＤ順に配置されることか、又は配置されたＲＦＩＤ１００ＩＤの配置順序が別々に観察されることが可能である。従って、一旦１つのＲＦＩＤタグ１００のＩＤが読み取られると、そのＩＤの前後のＩＤは自動的に分かる。更に、ＲＦＩＤシリーズは複数のＲＦＩＤタグ１００を収集することにより、一体的にカプセル化され、これによりタグを分離する問題は起こらない。
【００４２】
第４に、複数の個別ＲＦＩＤタグを増加させる場合に発生する問題の深刻さを解決することができる。即ち、ＲＦＩＤシリーズは複数のＲＦＩＤタグ１００を増加させる場合、その貴重な有益性を示す。
【００４３】
第５に、複数のＲＦＩＤタグ１００は個別でなく一体的にカプセル化させるので、工程における費用節約効果がある。
【００４４】
この発明は、道路上に任意の物（例えば車）がＲＦＩＤシリーズの利点を利用して、停止又は移動する場合、位置を特定把握するため、道路上の位置管理方法を提供する。即ち、この発明は以下からなる道路上の任意の２点（ａ、ｂ）を接続する位置を管理する、道路上の位置管理方法を提供する：任意の２点（ａ、ｂ）間に連続した溝を刳りぬき、そしてＲＦＩＤシリーズを埋め込むＳ１１０；ＲＦＩＤリーダの使用により、埋め込まれたＲＦＩＤシリーズの先頭（ａ）と後端（ｂ）のＩＤを読み取り、そして記録するＳ１２０；データベース中のＲＦＩＤタグの配置順序を観察し、そして入力するＳ１３０；ＲＦＩＤリーダの使用により、任意点（目標ＲＦＩＤタグ）のＲＦＩＤタグを読み取るＳ１４０；及び目標ＲＦＩＤタグは先頭（ａ）に設置されたＲＦＩＤタグからｎ番目の位置に設置されたＲＦＩＤタグであることを観察し、そして目標タグはｎ×ｄ（Ｌ）の結果の値によりａからＬの位置に設置されることを確認するＳ１５０。
【００４５】
ＲＦＩＤシリーズの先頭ＲＦＩＤタグ及び後端ＲＦＩＤタグの配置順序が既に分かっている場合、先頭ＲＦＩＤタグと後端ＲＦＩＤタグ間のＲＦＩＤタグの配置順序を分離して読み取ることはステップ１３０においては必要ないだろう。即ち、もしＲＦＩＤシリーズの先頭ＲＦＩＤの配置順序が“１”であり、そして後端ＲＦＩＤタグの配置順序が“１０００００”であれば、先頭ＲＦＩＤタグと後端ＲＦＩＤタグ間のＲＦＩＤタグの配置順序は昇順で“２、３、４、……９９９９７、９９９９８、９９９９９”だろう。そしてこのため、作業者は簡単に結果の値をデータベースへ入力することができる。
【００４６】
ステップ４０でその位置を観察し、そして管理する目標として、道路上を通過する目標物（例えば車）へＲＦＩＤリーダを取り付けることにより、そして、ＲＦＩＤタグを連続的に読み取るため、道路上に設置されたＲＦＩＤシリーズに対し、ＲＦＩＤリーダを連続的に追跡することにより、目標ＲＦＩＤタグ読み取り工程を実施することができる。
【００４７】
目標ＲＦＩＤタグの位置を確認する工程のステップ１５０で、例えばもし目標ＲＦＩＤタグが先頭に設置されたＲＦＩＤから５６００番目（ｎ）の位置に設置されたＲＦＩＤタグであり、そしてＲＦＩＤタグ１００間の接続間隔（ｄ）が１ｍであれば、目標ＲＦＩＤタグが先頭に設置されたＲＦＩＤタグから５６００（ｎ）×先頭に設置されたＲＦＩＤタグから１ｍ（ｄ）の結果の値である５６００ｍ（Ｌ）に設置される。換言すると、車等は道路上で現在確認される位置に存在する。
【００４８】
ところで、この発明はデータベースのＲＦＩＤタグのＩＤを観察し、そして入力するため、そしてＲＦＩＤタグＩＤとゾーンＩＤを割り当て、そしてステップ１３０の後にそれらをマッチングさせるため、ステップ１６０を追加する。
【００４９】
ＲＦＩＤシリーズの先頭ＲＦＩＤタグと後端ＲＦＩＤタグが既に読み取られ、そして記録されている場合、これらのＩＤは最初に基本的特性として備えられているので、先頭ＲＦＩＤタグのＩＤと後端ＲＦＩＤタグのＩＤとの間のＲＦＩＤタグのＩＤを分離して読み取る必要はない。即ち、管理者はＲＦＩＤシリーズの先頭タグと後端ＲＦＩＤタグ間のＲＦＩＤタグの配置順序に対応するＩＤを等差級数的に推測するか、又は従来技術におけるように、ＲＦＩＤリーダの使用により、設置されたＲＦＩＤタグを１つずつ読み取り、そして確認する工程の必要なく、カバー２００上に書きとめられたＲＦＩＤタグのＩＤを簡単に確認し、そして入力することができる。ＲＦＩＤシリーズ面のＲＦＩＤタグがＩＤ順に連続的に配置されない場合、管理者は関係するＲＦＩＤシリーズのＲＦＩＤタグＩＤ配置情報を簡単に観察しそして入力することができる。
【００５０】
ＲＦＩＤシリーズ面のＲＦＩＤタグがＩＤ順に連続的に設置される場合の例として、もしＲＦＩＤシリーズの先頭ＲＦＩＤタグの配置順序と、その対応するＩＤが夫々“１”と“ＩＤ１”であり、後端ＲＦＩＤタグの配置順序と、その対応するＩＤが夫々“１０００００”と“ＩＤ１０００００”であれば、ＲＦＩＤシリーズの先頭ＲＦＩＤタグと後端ＲＦＩＤタグ間のＲＦＩＤタグの配置順序とそれらの対応するＩＤは、夫々昇順で“２、３、４、…９９９９７、９９９９８、９９９９９”と“ＩＤ２、ＩＤ３、ＩＤ４、…ＩＤ９９９９７、ＩＤ９９９９８、ＩＤ９９９９９”であり、そして管理者は結果の値をデータベースへ簡単に入力できる。ＲＦＩＤシリーズ面のＲＦＩＤタグがＩＤ順序に関係なくランダムに配置される場合の例として、もしＲＦＩＤシリーズの先頭ＲＦＩＤタグのＩDが“ＩＤ７”で、そして後端ＲＦＩＤタグのＩＤが“ＩＤ７８”で、そして関係するＲＦＩＤシリーズのＲＦＩＤタグＩＤ配置情報が、…２：ＩＤ１００３、３：ＩＤ７、４：ＩＤ１５４、５：ＩＤ３４、…１０００００：ＩＤ６７３２，１００００１：ＩＤ４７０，１００００２：ＩＤ７８，１００００３：ＩＤ５５１，…”であれば、関係するＲＦＩＤシリーズ面のＲＦＩＤタグのＩＤは夫々“ＩＤ７、ＩＤ１５４、ＩＤ３４，…ＩＤ６７３２，ＩＤ４７０，ＩＤ７８”で、そして管理者は結果の値をデータベースへ簡単に入力できる。
【００５１】
更に、従来技術におけるように、ＲＦＩＤリーダの使用により、設置された個別ＲＦＩＤタグを読み取り、ＩＤを確認し、そしてＲＦＩＤシリーズ面の確認されたＲＦＩＤタグに対応するゾーンＩＤを１つずつ割り当てる必要なく、ＲＦＩＤシリーズ面の確認されたＲＦＩＤタグのＩＤに対応するゾーンＩＤを一時に割り当てることにより、ステップ１６０でＲＦＩＤタグのＩＤとゾーンＩＤのマッチング工程も実施することができる。即ち、上記例から見られるように、ＲＦＩＤシリーズ面のＲＦＩＤタグのＩＤが順に“ＩＤ１、ＩＤ２、ＩＤ３、……、ＩＤ９９９９８、ＩＤ９９９９９、ＩＤ１０００００、”又はＩＤが“ＩＤ７、ＩＤ１５４、ＩＤ３４、……ＩＤ６７３２、ＩＤ４７０、ＩＤ７８”のように、ランダムに配置される場合でさえ、管理者はデータベースで順に、“ゾーン１、ゾーン２、ゾーン３、……ゾーン９９９９８、ゾーン９９９９９、ゾーン１０００００”のように、多くのＲＦＩＤタグと合う多くのゾーンＩＤを簡単に入力でき、次にＲＦＩＤタグのＩＤとゾーンＩＤをそのようにマッチングするだろう。
【００５２】
ところで、このようなゾーンＩＤは、ＲＦＩＤシリーズのＲＦＩＤタグ１００が行政区域、又は関係するＲＦＩＤタグの道路上に設置されたＲＦＩＤシリーズの先頭ＲＦＩＤタグからの距離に応じて、道路上に設置されたエリア名を含む。管理者は、車が道路上を通過する地域名、又は隔たる距離を迅速に確認できるので、車位置の確認と管理をより迅速に、そして都合よく実施することができる。
【００５３】
上記実施例は単なる例であり、この発明の要素の範囲内で多くの代案、修正及び変更は、この発明が属する技術の専門家には明らかであろう。従って、この発明で開示された例及び付属図面は限定のためではなく、この発明の技術的特徴を説明するために提供される。この発明の技術的特徴はこれらの例及び付属図面により限定されない。この発明の保護範囲は以下の特許請求の範囲に基づき解釈されるべきであり、同一範囲内の技術的特徴は、全てこの発明範囲に含まれると解釈されるべきである。
【産業上の利用可能性】
【００５４】
この発明は、複数のＲＦＩＤタグが必要な場合でも、ＲＦＩＤタグを１つずつ設置する必要なく、同時に複数のＲＦＩＤタグを設置し、そして各ＲＦＩＤのＩＤを自動的に一斉に計算することにより、混乱なく僅かな時間と労力で作業を完了することができるＲＦＩＤシステムを構築するＲＦＩＤシリーズを提供することである。従って、もしこの発明が在庫管理又は倉庫分野へ導入されれば、その実用的、経済的価値を十分達成することができる。
【図面の簡単な説明】
【００５５】
【図１】この発明の一典型実施例によるＲＦＩＤシリーズのＲＦＩＤタグを示す。
【図２】ＲＦＩＤシリーズのカバー、及びカバーにより包装された複数のＲＦＩＤタグを備えるカプセル化されたＲＦＩＤシリーズを示す。
【図３】この発明によるＲＦＩＤシリーズを使用する多くのＲＦＩＤタグの設置を示す概念図である。
【図１】
2009523287.tif 000003
【図２】
2009523287.tif 000004
【図３】
2009523287.tif 000005
【国際調査報告】
2009523287.tif 000006
2009523287.tif 000007